(57)【特許請求の範囲】
【請求項１】
筐体がベースと、ベースの四方の角部または角部付近にそれぞれ配置された支柱と、支柱の上端に固定され吹出口を備えた天板と、前記支柱の前面側の２本の間を連結する連結板とから構成されてなり、前記筐体の内部には、前記ベース上に前面以外の三方を囲むように配置された熱交換器と、同熱交換器で囲まれた空間の上部に送風ファンを備えたファンモータと、前面側の前記連結板の上部に電装品箱と、前記熱交換器で囲まれた空間に配置された圧縮機とアキュムレータと室外側冷媒回路を構成する機器および配管と、前記室外側冷媒回路と前記電装品箱を接続するケーブルとを備え、少なくとも前記圧縮機が前記連結板の下部に設けた圧縮機室内に配置された空気調和機の室外機において、
前記圧縮機室の天面板は、前記連結板の下端より低い前部平坦面と、前記連結板の上端より低い後部平坦面と前記前部平坦面と前記後部平坦面とを結ぶ傾斜面を有し、同傾斜面は前記連結板と近接する位置まで突出する複数の突出部を備えるとともに、同突出部以外の傾斜面を前記ケーブルを電装品箱までガイドするケーブルガイド部としてなることを特徴とする空気調和機の室外機。
【発明の詳細な説明】
【技術分野】
【０００１】
本発明は、空気調和機の室外機に係り、特に圧縮機室の構造とケーブルの引回しに関する。
【背景技術】
【０００２】
ビルや商業施設などに設置される大型の空気調和機の室外機の筐体は、ベース上に三方を囲む熱交換器と熱交換器の上部中央に送風ファンを備えたファンモータと、筐体の前面側の上部に電装品箱が配置され、熱交換器に囲まれた内部に圧縮機、アキュムレータを含む室外側冷媒回路を構成する部品が配置されている。圧縮機は図７に示すように、騒音防止と外気の影響を無くすために鋼板で出来た圧縮機室１００で囲まれている。圧縮機室１００は略直方体の箱状で、内部に図示しないが圧縮機とアキュムレータとオイルレシーバーとそれぞれを接続する配管を収納する。圧縮機室１００の天面１０１は、背面側に配管とケーブルの出口１０２を有する。天面１０１の上には電装品箱の下端を支え筐体を補強する連結板１０３が掛け渡されている。天面１０１は略平坦面であり、電装品箱と圧縮機室１００の出口１０２から出てきたケーブルや、電装品箱と圧縮機室以外に配置されている冷媒回路の各部品を接続するケーブルを天面１０１を置き台として束ねて収納していた。（例えば、特許文献１参照）
【先行技術文献】
【特許文献】
【０００３】
【特許文献１】特開２００９−１０９０４７号公報
【発明の概要】
【発明が解決しようとする課題】
【０００４】
昨今、コストダウンのため、同じ筐体で低能力機種から高能力機種や高性能機種まで補える室外機が求められている。しかしながら、高能力機種になると圧縮機の排除容積が大きくなり、圧縮機の高さも高くなり、それに伴い、圧縮機と接続する配管が圧縮機室１００内には収容しきれなくなる。
そこで、圧縮機室１００の天面１０１を高くする必要が生じるが、天面１０１を高くすると、連結板１０３と近接することから、電装品箱と接続するケーブルを収納するスペースが無くなるといった問題が生じる。
【０００５】
本発明の課題は、上記問題点に鑑み、圧縮機の排除容積が大きくなることで圧縮機室の天面の高さが高くなっても、電装品箱と冷媒回路の部品を接続するケーブルを収納するスペースが確保できるとともに、同じ筐体で低能力機種から高能力機種や高性能機種まで補える室外機を提供する。
【課題を解決するための手段】
【０００６】
本発明は、筐体がベースと、ベースの四方の角部または角部付近にそれぞれ配置された支柱と、支柱の上端に固定され吹出口を備えた天板と、前記支柱の前面側の２本の間を連結する連結板とから構成されてなり、前記筐体の内部には、前記ベース上に前面以外の三方を囲むように配置された熱交換器と、同熱交換器で囲まれた空間の上部に送風ファンを備えたファンモータと、前面側の前記連結板の上部に電装品箱と、前記熱交換器で囲まれた空間に配置された圧縮機とアキュムレータと室外側冷媒回路を構成する機器および配管と、前記室外側冷媒回路と前記電装品箱を接続するケーブルとを備え、少なくとも前記圧縮機が前記連結板の下部に設けた圧縮機室内に配置された空気調和機の室外機において、
前記圧縮機室の天面板は、前記連結板の下端より低い前部平坦面と、前記連結板の上端より低い後部平坦面と前記前部平坦面と前記後部平坦面とを結ぶ傾斜面を有し、同傾斜面は前記連結板と近接する位置まで突出する複数の突出部を備えるとともに、同突出部以外の傾斜面を前記ケーブルを電装品箱までガイドするケーブルガイド部としてなることを特徴とする。
【発明の効果】
【０００７】
本発明の効果は、圧縮機室の天面板は連結板の下端より低い前部平坦面と、連結板の上端より低い後部平坦面と前部平坦面と後部平坦面とを結ぶ傾斜面を有し、傾斜面は連結板と近接する位置まで突出する複数の突出部を備えるとともに、突出部以外の傾斜面をケーブルを電装品箱までガイドするケーブルガイド部としてなるので、圧縮機の排除容積が大きくなり、圧縮機の高さも高くなり、圧縮機室が大きくなっても、電装品箱と冷媒回路の部品を接続するケーブルを収納するスペースが確保できる。また、突出部がリブとなり圧縮機室の強度も補強できる構造となり、さらに同じ筐体で低能力機種から高能力機種や高性能機種まで補える室外機が提供できる。
【図面の簡単な説明】
【０００８】
【図１】本発明による空気調和機の室外機の外観斜視図である。
【図２】上記室外機の前面パネルを外した状態の要部斜視図である。
【図３】上記室外機の前面パネルと電装品箱を外した状態の要部斜視図である。
【図４】上記室外機の圧縮機室の分解図である。
【図５】上記室外機の電装品箱へのケーブルの引回しを示す図である。
【図６】図３のＡ−Ａ断面図である。
【図７】従来例による空気調和機の室外機の圧縮機室の図である。
【発明を実施するための形態】
【０００９】
以下、本発明の実施の形態を、添付図面に基づいた実施例として詳細に説明する。
【実施例１】
【００１０】
本発明による空気調和機の室外機１は、ビルや商業施設などに設置され、複数の室内機に冷媒配管を介して接続されるビル用マルチタイプの空気調和システムに用いられるものである。図１と図２に示すように、室外機１は、側面から空気を吸い込んで冷媒と熱交換した後に天面から空気を吹き出すタイプであり、筐体１０と、筐体１０の内部に収納された室外側冷媒回路２０とを備えている。
【００１１】
筐体１０は、大型で縦長な略直方体形状であり、ベース１３と、ベース１３の四方の角部または角部付近にそれぞれ配置され上端から下端まで鉛直に延びる支柱１１ａ〜１１ｄと、支柱１１ａ〜１１ｄの上端に固定される吹出口１６備えた天板１２と、前面側の支柱１１ａと支柱１１ｄの間を連結する連結板４０と、各支柱１１ａ〜１１ｄの上端を接続する４本の連結パネル１５からなる。これらは、鋼板材をプレスして形成される。
尚、図１において連結板４０のある側を前面とし、支柱１１ａのある側を左側面とし、支柱１１ｄのある側を右側面とし、支柱１１ｂ、支柱１１ｃのある側を背面して説明する。
【００１２】
天板１２は、中央が開口された吹出口１６を有し、吹出口１６はファンガード１７で覆われている。天板１２の内部には図示しないが吹出口１６を囲った筒状のベルマウスが設けられ、ベルマウス内に送風ファン１８が配置されている。送風ファン１８は連結パネル１５に固定されたモータ支持台に据付けられたファンモータにより回転駆動される。また、支柱１１ａと支柱１１ｂ、支柱１１ｂと支柱１１ｃ、支柱１１ａと支柱１１ｄの間はそれぞれ開口され吸込口１９となる。
【００１３】
ベース１３は、図２に示すように、室外側冷媒回路２０を構成する機器および部材を支持している。ベース１３の下面には、筐体１０を設置場所に固定するための基礎脚１３ａが据え付けられている。
【００１４】
支柱１１ａと支柱１１ｄの間には前面側を覆う前面パネル１４が取り付けられている。前面パネルは、連結パネル１５の下側に配置される上部前面パネル１４ａと、上部前面パネル１４ａの下側に配置される下部前面パネル１４ｂとからなり、それぞれ支柱１１ａと支柱１１ｄに着脱自在に取り付けられ、図２に示すように設置時やメンテナンス時には取り外すことができる。上部前面パネル１４ａおよび下部前面パネル１４ｂを取り外すと筐体１０の内部には、室外側冷媒回路２０と電装品箱３０と、連結板４０が配置されている。
【００１５】
連結板４０は、図３に示すように支柱１１ａと支柱１１ｄの中央部を橋渡しした帯状の鋼板であり、筐体１０の強度を補強するとともに、電装品箱３０の下端を支える。
【００１６】
電装品箱３０は、図２および図６に示すように鋼板により箱体状に形成され、連結板４０の上端に後方が重なるように配置され、内部に室外側冷媒回路２０の各センサーの情報を受け、室外側冷媒回路２０や送風ファン１８の制御等を行う制御部３１と図５を合わせて示す背面側に電源部３１ａを有し、図３を合わせて示す背面側の右端の上端を連結パネル１５に備えた取付具３２ａと、背面側の右端の下端を連結板４０に備えた取付具３２ｂに軸支される。
電装品箱３０は、前面側に電装品箱蓋３３を、左側面には把手３４を備え、底面に図５に示すケーブル取入板３５と、ケーブル取入板３５にケーブル取入孔３６ａ、３６ｂ、３６ｃとを備える。
電装品箱３０内部の制御部３１と電源部３１ａをメンテナンスする時は、上部前面パネル１４ａを外し、電装品箱３０の前面を覆う電装品箱蓋３３を外すことでメンテナンス可能となる。
また、筐体１０内で電装品箱３０の奥側に配置されている室外側冷媒回路２０の各機器をメンテナンスする時は、図５に示すように電装品箱３０の側面に設けた把手３４を手前に引き取付具３２ａ、３２ｂを回転中心として回動させることで、筐体１０の奥が現れメンテナンス可能となる。
【００１７】
室外側冷媒回路２０は、図３および図４に示すように、熱交換器２１、アキュムレータ２２、圧縮機２３、オイルタンク２４、レシーバータンク２５、操作弁２６などの機器およびこれらの機器を接続する配管２７等とからなる。
熱交換器２１は、ベース１３上に前面以外の三方を囲み、三方の吸込口１９に対向するように配置されて固定される。
圧縮機２３とオイルタンク２４は、筐体１０内の前面側中央に配置され、圧縮機２３とオイルタンク２４の周囲は板金を加工した部材で囲まれて圧縮機室５０を形成している。
アキュムレータ２２とレシーバータンク２５は筐体１０内で圧縮機室５０の背面側に固定される。
【００１８】
上記の構成により、送風ファン１８の回転により筐体１０の三方の吸込口１９から吸い込まれた空気は、熱交換器２１で冷媒と熱交換した後に、筐体１０のベルマウスで上部に導かれ吹出口１６から吹き出される。
【００１９】
圧縮機室５０はベース１３の前面側中央に配置されている。圧縮機室５０の外郭は、背面側の背面板５２と、前面側の前面板５３と、右側面側の右側面板５４と、左側面の左側面板５５と、天面側の天面板５６と、圧縮機室５０の底でベース１３上に固定される底面板５７とから形成される。背面板５２と右側面板５４と左側面板５５はベース１３に立設して互いに固定されている。
背面板５２には背面側天面板５８が備えられ、背面側天面板５８には後述する吸入管２７ａと吐出管２７ｂ用の管出口５８ａと、ケーブル用のケーブル出口５８ｂが設けられている。
前面板５３は、右側面板５４と左側面板５５の前面側に着脱自在に取り付けられる。また、天面板５６も右側面板５４と左側面板５５の天面側に着脱自在に取り付けられる。図４に示すように、圧縮機室５０内のメンテナンスは、前面板５３と天面板５６を取り外すことで可能となる。
【００２０】
圧縮機室５０内部には、ベース１３の上に固定された底面板５７に、筒状で上下端がドーム型の圧縮機２３が圧縮機脚２３ａを介して取り付けられる。圧縮機２３は側面に圧縮機用アキュムレータ２３ｂを備え、圧縮機２３の背面側にはオイルタンク２４が背面板５２の壁面にオイルタンク取付具２４ａを介して固定されている。
圧縮機用アキュムレータ２３ｂは、圧縮機室５０の背面側に配置されたアキュムレータ２２と吸入管２７ａで接続する。吸入管２７ａは一定の長さが必要なため圧縮機室５０内部で引き回されている。吸入管２７ａの一部は圧縮機２３よりも高い位置で連結板４０の上端よりも下方で折れ曲がっている。
圧縮機２３は、圧縮機用アキュムレータ２３ｂから冷媒を受けて高温高圧に圧縮し、圧縮機２３の上端から上方へ伸びる吐出管２７ｂを介してオイルタンク２４に吐出する。吐出管２７ｂは圧縮機２３よりも高い位置で連結板４０の上端よりも下方で折れ曲がっている。
オイルタンク２４は、圧縮機２３から吐出された冷媒内のオイルを分離させ、オイルタンク２４から吐出した冷媒は操作弁２６で操作され熱交換器２１で熱交換を行いレシーバータンク２５を通過して各室内機へ送られる。
【００２１】
上記の内部部品により圧縮機室５０の形状は、右側面板５４と左側面板５５は、図３および図５に示すように、前面側で連結板４０の下部で圧縮機２３が配置されている部分は低く、背面側で吸入管２７ａと吐出管２７ｂが配置されている部分は連結板４０の上端近傍まで高くなり、前面側と背面側の間を傾斜させている。背面板５２の背面側天面板５８も、連結板４０の上端近傍位置にある。
【００２２】
上記構成により、圧縮機室５０の天面を占める天面板５６も右側面板５４と左側面板５５および背面側天面板５８に合わせ、連結板４０の下端より低い前部平坦面５６２と、連結板４０の上端より低い後部平坦面５６１と前部平坦面４６２と後部平坦面５６１とを結ぶ傾斜面５６３とからなる。後部平坦面５６１は背面側天面板５８と面一で当接されて後部平坦面５６１と天面板５８の間の管出口５８ａに吸入管２７ａと吐出管２７ｂが通る。
傾斜面５６３には吸入管２７ａの折れ曲がった部分とクリアランスを設け、連結板４０と近接する位置まで突出する突出部５６４と、吐出管２７ｂの折れ曲がった部分とクリアランスを設け、連結板４０と近接する位置まで突出する突出部５６５を設けている。
傾斜面５６３に突出部５６４、５６５を設けたことで、突出部５６４、５６５が天面板５６のリブとなり圧縮機室５０の強度を補強する構造となる。
また、傾斜面５６３において、左端を左ケーブルガイド部５６６とし、突出部５６４と突出部５６５の間を中央ケーブルガイド部５６７とし、右端を右ケーブルガイド部５６８とする。
【００２３】
次に、室外側冷媒回路２０およびファンモータと電装品箱３０を接続するケーブル６０について説明する。図５と図６に示すように、ケーブル６０は電装品箱３０に入る前にそれぞれ束ねられ、操作弁２６と電装品箱３０と接続するケーブル６０を束ねたケーブル束６１と、各センサーおよび圧縮機室５０内のセンサーを電装品箱３０と接続するケーブル６０を束ねたケーブル束６２と、ファンモータおよび圧縮機室５０から電装品箱３０と接続するケーブル６０を束ねたケーブル束６３となる。
ケーブル束６１〜６３はそれぞれ電装品箱３０の底面のケーブル取入板３５に設けた３箇所のケーブル取入孔３６に引き入れられ、電装品箱３０の制御部３１および電源部３１ａと接続される。
【００２４】
ケーブル束６１は左ケーブルガイド部５６６近傍で結束されて、左ケーブルガイド部５６６をガイドとし、連結板４０の下を通り、ケーブル取入孔３６ａから電装品３０に引き入れられ、電装品箱３０の制御部３１および電源部３１ａと接続される。
同様に、ケーブル束６２は中央ケーブルガイド部５６７近傍で結束されて、中央ケーブルガイド部５６７をガイドとし、連結板４０の下を通り、ケーブル取入孔３６ｂから電装品３０に引き入れられ、電装品箱３０の制御部３１および電源部３１ａと接続される。
ケーブル束６３も右ケーブルガイド部５６８近傍で結束されて、右ケーブルガイド部５６８をガイドとし、連結板４０の下を通り、ケーブル取入孔３６ｃからから電装品３０に引き入れられ、電装品箱３０の制御部３１および電源部３１ａと接続される。
【００２５】
ケーブルを三つのケーブル束に分け、それぞれ左ケーブルガイド部５６６、中央ケーブルガイド部５６７、右ケーブルガイド部５６８を専用のガイドとしてそれぞれのケーブルを通すことで、従来の平坦な天面にケーブルを収納するよりも、ケーブルが纏めて収納できる。
また、連結板４０と突出部５６４、５６５が近接していることで、左ケーブルガイド部５６６、中央ケーブルガイド部５６７、右ケーブルガイド部５６８から出るケーブル束６１、６２、６３は隣合うケーブル束と離され混ざり合うことが無い。これによりメンテナンス時に必要とするケーブルが含まれるケーブル束がすぐに分かりケーブルが探しやすくなることで作業性も向上する。
【００２６】
上記の構成とすることで、圧縮機２３の排除容積が大きくなり、圧縮機２３が高くなることで圧縮機室５０が大きくなっても、天面板５６に、吸入管２７ａによる突出部５６４と吸入管２７ａによる突出部５６５を設けることで、左ケーブルガイド部５６６と、中央ケーブルガイド部５６７と、右ケーブルガイド５６８部とを形成することで、ケーブルを三つのケーブル束６１〜６３に分け、それぞれ左ケーブルガイド部５６６、中央ケーブルガイド部５６７、右ケーブルガイド部５６８を専用のガイドとしてケーブルを通すことができ、ケーブルを収納するスペースが確保できるとともに、突出部がリブとなり圧縮機室５０の強度も補強できる構造となり、さらに、同じ筐体で低能力機種から高能力機種や高性能機種まで補える室外機が提供できる。
【符号の説明】
【００２７】
１：室外機、１０：筐体、１１ａ〜１１ｄ：支柱、１３：ベース、１４ａ：上部前面パネル、１４ｂ：下部前面パネル、１５：連結パネル、１６：吹出口、１８：送風ファン、１９：吸込口、２０：室外側冷媒回路、２１：熱交換器、２２：アキュムレータ、２３：圧縮機、２３ｂ：圧縮機用アキュムレータ、２４：オイルタンク、２６：操作弁、２７：配管、２７ａ：吸入管、２７ｂ：吐出管、３０：電装品箱、３１：制御部、３５：ケーブル取入板、３６：ケーブル取入孔、４０：連結板、５０：圧縮機室、５２：背面板、５３：前面板、５４：右側面板、５５：左側面板、５６：天面板、５６１：後部平坦面、５６２：前部平坦面、５６３：傾斜面、５６４、５６５：突出部、５６６：左ケーブルガイド部、５６７：中央ケーブルガイド部、５６８：右ケーブルガイド部、５７：底面板、５８：背面側天面板、６０：ケーブル、６１〜６３：ケーブル束
【図１】
0005962119.tif 000002
【図２】
0005962119.tif 000003
【図３】
0005962119.tif 000004
【図４】
0005962119.tif 000005
【図５】
0005962119.tif 000006
【図６】
0005962119.tif 000007
【図７】
0005962119.tif 000008